(57)【要約】      （修正有）【課題】テントシートの妻の内面に当たる風によってテントが破損したりテントが吹き飛ばされたりすることが防止でき、且つ、雨の降り込みも確実に防止でき、使用しやすく実用的なテントを提供する。【解決手段】外周開放型かつ切妻屋根式のテントシート２と、テントシート２を地面から上方へ離れた高さ位置で設営状態に支持するテントフレーム６と、テントシート２の妻５に形成される通風口７と、通風口７を外から覆うように下縁部８ａ以外の縁部が妻５に接合される雨よけシート８と、テント設営時に雨よけシート８の下縁部８ａを妻５から離れる方向に突っ張り支持する突っ張り棒部材９と、を備える。【選択図】図１
2016196753.tif 000002
【特許請求の範囲】
【請求項１】
外周開放型かつ切妻屋根式のテントシートと、該テントシートを地面から上方へ離れた高さ位置で設営状態に支持するテントフレームと、前記テントシートの妻に形成される通風口と、該通風口を外から覆うように下縁部以外の縁部が前記妻に接合される雨よけシートと、テント設営時に前記雨よけシートの前記下縁部を前記妻から離れる方向に突っ張り支持する突っ張り棒部材と、を備える、テント。
【請求項２】
外周開放型かつ切妻屋根式のテントシートであって、該テントシートの妻に形成される通風口と、該通風口を外から覆うように下縁部以外の縁部を前記妻に接合される雨よけシートと、テント設営時に前記雨よけシートの前記下縁部を前記妻から離れる方向に突っ張り支持する突っ張り棒部材と、を備える、テントシート。
【請求項３】
前記突っ張り棒部材の一端部が前記テントシートと前記雨よけシートのいずれか一方に固着されており、前記突っ張り棒部材の他端部が前記テントシートと前記雨よけシートのいずれか他方に対して着脱自在とされている、請求項１に記載のテント又は請求項２に記載のテントシート。
【請求項４】
前記突っ張り棒部材と共に、又は前記突っ張り棒部材に代えて、前記雨よけシートの前記下縁部を前記妻から離れた状態に保持する弾性部材を、前記雨よけシートの前記下縁部に設けてある、請求項１，２又は３に記載のテント又はテントシート。
【請求項５】
前記通風口を正視した状態で、前記雨よけシートの前記下縁部が前記通風口よりも下に位置する、請求項１，２，３又は４に記載のテント又はテントシート。
【発明の詳細な説明】
【技術分野】
【０００１】
本発明は、日よけや雨よけ等のために用いられる、外周開放型かつ切妻屋根式のテントに関するものである。本発明はまた、前記テントの構成要素としてのテントシートに関するものである。
【背景技術】
【０００２】
テントは、テントシートに風を受け易く、大型のテントになればなるほど、強風を受けると吹き飛ばされてしまう危険が大きい。特に、各種のイベントや運動会等において日よけや雨よけ等のために仮設される外周開放型かつ切妻屋根式のテントは、外周閉鎖型のキャンプ用テントとは異なり、テント内の空間に強風が吹き込むと、テントシートの妻（つま：地面に対して垂直な面）の内面が風圧をもろに受けてしまい、テントの破損や、テントの浮き上がり、吹き飛び等の問題が起こりやすい。
【０００３】
そこで、従来、外周開放型かつ切妻屋根式のテントにおいて、テントシートの妻に通風口を設けたものが種々提案されている（特許文献１〜３参照）。
【０００４】
特許文献１のものは、テントシートの妻に設けた開口孔を、開閉蓋によって開閉可能としたものである。明示されてはいないが、開閉蓋は、晴天時には開かれ、雨天時には閉じられるものと思われる。開かれた開閉蓋は、上方へ折り返して面ファスナー等の係止手段でテントシートに固定される。開閉蓋を下ろすと開口孔が閉じ、雨の降り込みが防止される。
【０００５】
特許文献２のものは、テントシートの妻に設けた通風口をシート状の蓋で覆い、常時は蓋とテントシートとが、面ファスナー等の係止手段によって中程度の固定力で係止される。テントシート内に突風又は強風が吹き込んだときには、風圧によって前記係止手段による係止が自動的に解除されて通風口が開くようにしたものである。
【０００６】
特許文献３のものは、テントシートの妻に縦方向のスリットを横方向に連続して設け、これらのスリットを通気部としたものである。
【先行技術文献】
【特許文献】
【０００７】
【特許文献１】実開平６−４５００２号公報
【特許文献２】特開２００４−１４３８０９号公報
【特許文献３】実用新案登録第３１１３８８３号公報
【発明の概要】
【発明が解決しようとする課題】
【０００８】
しかしながら、特許文献１のものは、使用中に雨が降り出すと、開閉蓋を人為的に閉める必要がある。開閉蓋は高い位置にあるので、その開閉作業は煩雑である。特に、風の影響を受けやすい大型のテントの場合、開閉蓋の開閉のために脚立等を準備しなければならない等の不都合もある。
【０００９】
これに対し、特許文献２のものは、風圧によって蓋の係止が自動的に解除されて通風口が開くことを予定しているが、実際にはなかなかうまくはいかず、実用性に欠ける欠点がある。また、風が収まると、風圧で開いた蓋が自然に閉じることになるが、面ファスナーを採用した場合、蓋が風でよじれた状態で閉じてしまったりして、この点でも実用的ではない。
【００１０】
特許文献３のものは、テントシートが多数のスリットを備えるので、スリットから雨が入り込んでしまうことがある。
【００１１】
本発明は、前記のような事情に鑑みてなされたもので、外周開放型かつ切妻屋根式のテントにおいて、テントシートの妻の内面に当たる風によってテントが破損したりテントが吹き飛ばされたりすることが防止でき、且つ、雨の降り込みも確実に防止でき、使用しやすく実用的なテントを提供しようとするものである。
【００１２】
本発明はまた、前記テントの構成要素としてのテントシートを提供しようとするものである。
【課題を解決するための手段】
【００１３】
前記課題を解決するため、本発明に係るテントは、外周開放型かつ切妻屋根式のテントシートと、該テントシートを地面から上方へ離れた高さ位置で設営状態に支持するテントフレームと、前記テントシートの妻に形成される通風口と、該通風口を外から覆うように下縁部以外の縁部が前記妻に接合される雨よけシートと、テント設営時に前記雨よけシートの前記下縁部を前記妻から離れる方向に突っ張り支持する突っ張り棒部材と、を備えることを特徴とする（請求項１）。
【００１４】
また、本発明に係るテントシートは、外周開放型かつ切妻屋根式のテントシートであって、該テントシートの妻に形成される通風口と、該通風口を外から覆うように下縁部以外の縁部を前記妻に接合される雨よけシートと、テント設営時に前記雨よけシートの前記下縁部を前記妻から離れる方向に突っ張り支持する突っ張り棒部材と、を備えることを特徴とする（請求項２）。
【００１５】
本発明に係るテント及びテントシートよれば、テント設営状態において、突っ張り棒部材によって雨よけシートの下縁部が妻から離れる方向に突っ張り支持される。これにより、通風口は、テント設営状態において常時開いた状態にあり、テントシートの妻の内面に当たる風は、通風口からテントシートの外に逃がされる。このため、テントシート内に吹き込んだ風によってテントが破損したりテントが吹き飛ばされたりすることが防止される。雨よけシートは、下縁部以外の縁部が妻に接合されているので、雨天時であっても通風口からテント内に雨が入り込むことはない。
【００１６】
本発明によれば、通風口は、テント設営状態において常時開いている。天候に応じて通風口を開閉操作する手間がかからないので、使用しやすく実用的である。
【００１７】
好適な実施の一形態として、前記突っ張り棒部材の一端部が前記テントシートと前記雨よけシートのいずれか一方に固着されており、前記突っ張り棒部材の他端部が前記テントシートと前記雨よけシートのいずれか他方に対して着脱自在とされている態様を例示する（請求項３）。
【００１８】
この場合、テント設営後に、突っ張り棒部材の他端部をテントシートと雨よけシートのいずれか他方に対して連結することにより、雨よけシートの下縁部が支持される。テント収納時には、突っ張り棒部材の他端部をテントシートと雨よけシートのいずれか他方から分離させることで、突っ張り棒部材の他端部が自由となり、突っ張り棒部材がテント収納の邪魔になることが防止できる。突っ張り棒部材の一端部がテントシートと雨よけシートのいずれか一方に固着されているので、テント収納時に突っ張り棒部材が紛失してしまうこともない。
【００１９】
好適な実施の一形態として、前記突っ張り棒部材と共に、又は前記突っ張り棒部材に代えて、前記雨よけシートの前記下縁部を前記妻から離れた状態に保持する弾性部材を、前記雨よけシートの前記下縁部に設ける態様を例示する（請求項４）。このようにすれば、弾性部材によって雨よけシートの下縁部が前記妻から離れた状態に保持されるので、弾性部材を突っ張り棒部材と共に用いることで、雨よけシートが通風口を開いた状態に確実に保持される。また、弾性部材を突っ張り棒部材に代えて用いることで、突っ張り棒部材の配設コストが節約できる。
【００２０】
好適な実施の一形態として、前記通風口を正視した状態で、前記雨よけシートの前記下縁部が前記通風口よりも下に位置する態様を例示する（請求項５）。このようにすれば、雨よけシートによる雨よけ効果が万全となる。
【図面の簡単な説明】
【００２１】
【図１】本発明の実施の一形態に係るテントの設営状態の斜視図である。
【図２】図１のテントの妻（つま）の正面図である。
【図３】図２のＩＩＩ−ＩＩＩ矢視拡大断面図である。
【図４】図２のＩＶ−ＩＶ矢視拡大断面図である。
【発明を実施するための形態】
【００２２】
以下、添付図面を参照して、本発明の実施の一形態について説明する。
【００２３】
本発明に係るテント１は、図１に示すように、外周開放型かつ切妻屋根式のテントである。切妻屋根とは、屋根形状のひとつであり、屋根の最頂部の棟（屋根の面と面とが交わる部分）から地上に向かって二つの傾斜面が本を伏せたような山形の形状をした屋根をいう。一般に、切妻屋根の建造物においては、屋根の棟と平行な垂直面を平（ひら）といい、屋根の棟と直角な垂直面を妻（つま）という。そこで、本明細書では、これらの呼び名にしたがい、設営状態のテントシート２において、棟３と平行な垂直面を平（ひら）４、棟３に直角な垂直面を妻（つま）５と呼ぶ。
【００２４】
図１のテント１は、外周開放型かつ切妻屋根式のテントシート２と、該テントシート２を地面から上方へ離れた高さ位置で設営状態に支持するテントフレーム６と、前記テントシート２の妻５に形成される通風口７と、該通風口７を外から覆うように下縁部８ａ以外の縁部（側縁部）８ｂ，８ｂが妻５に接合される雨よけシート８と、該雨よけシート８の下縁部８ａを妻５から離れる方向に突っ張り支持する突っ張り棒部材９と、を備える。
【００２５】
テントシート２は、二つの屋根面１０，１０と、二つの平４，４と、二つの上妻５，５と、を備える（図１では、一方の屋根面１０と、一方の平４と、一方の妻５は、隠れていて見えていない）。テントシート２は、例えば、プラスチック製シートや布製シートを用いて作製する。テント１の設営状態において、テントシート２の二つの屋根面１０，１０は、棟３を境にして連続し、地面に向けて傾斜して延びている。各屋根面１０の下縁に、横長の長方形の平４が連続している。
【００２６】
各妻５は、上部５ａが二等辺三角形状の垂直面であり、これに連続する下部５ｂが横長の長方形の垂直面である。妻５の上部５ａは、二つの屋根面１０，１０の傾斜した縁部１０ａ，１０ａを二等辺とする。妻５の下部５ｂの長さ方向の両端は、平４の長さ方向の両端に連続している。
【００２７】
テントフレーム６は、テントシート２を地面から上方へ離れた高さ位置で設営状態に支持する。これにより、外周開放型のテント１となる。テントフレーム６は、四本の柱部材１１と、隣接する柱部材１１，１１間に架設される桁部材及び梁部材と、テントシート２を下から支えるトップ部材と、を備える。添付図面では、柱部材１１のみが示され、桁部材、梁部材及びトップ部材はテントシート２に覆われて見えない状態である。
【００２８】
テントフレーム６の具体的構成に限定はない。すなわち、金属製のパイプ材からなる各構成部材を嵌め合わせにより連結して構築する分割組立式のテントフレームであってもよいし、柱部材及びトップ部材と一体に連結される伸縮式の桁部材及び梁部材を有する一体式のテントフレーム（例えば、実公平６−２５５６６号公報に記載のものを参照）であってもよい。一体式のテントフレームは、柱部材の分散と、桁部材及び梁部材の伸長と、トップ部材の上昇とが連動して起こることで設営状態に移行し、且つ、柱部材の集合と、桁部材及び梁部材の収縮と、トップ部材の下降とが連動して起こることで、収納状態に移行する。テントフレームを構成する柱部材は、四本には限定されず、六本又はそれ以上であってもよい。
【００２９】
テントシート２の各妻５には通風口７が形成される。各通風口７は、テントシート２の内部に吹き込んだ風をテントシート２の外部へと逃がすためのものである。通風口７は、風が溜まりやすい妻５の上部に形成するのが好ましい。通風口７の形状に限定はなく、丸形でもドーム形でも多角形でもよいが、図示例では、頂角を上向きとする二等辺三角形の通風口としてある。通風口７の大きさは、妻５の面積に応じて決めればよいが、例えば、妻５の面積に対し、３〜１０％程度とする。通風口７は複数形成することもできる。
【００３０】
なお、図３に示すように、通風口７には、目の細かいネット１２を張設するのが好ましい。それにより、テント１を設営したときに、テントシート２にかかる張力により通風口７が変形しようとしても、この変形がネット１２の張力によって抑制される。
【００３１】
雨よけシート８は、各通風口７を外から覆うように、テントシート２の各妻５に接合される。接合の方法は、例えば、縫付けや接着剤による接着等である。妻５への接合部位は、雨よけシート８の下縁部８ａ以外の縁部（側縁部）８ｂ，８ｂである。雨よけシート８の下縁部８ａは、妻５に接合せず、自由な状態にしておく。しかも、テントシート２への接合状態において、雨よけシート８の下縁部８ａには、弛みを持たせる。これは、通風口７の通風機能を阻害しないようにするためである。
【００３２】
具体的には、雨よけシート８は、図２に示すように、頂部８ｃを起点として徐々に広がりながら下向きに延びる一対の側縁部８ｂ，８ｂと、この一対の側縁部８ｂ．８ｂの下端部同士の間に延びる下縁部８ａと、を備える。そして、雨よけシート８は、下縁部８ａに弛みを持たせて、一対の側縁部８ｂ，８ａのみを妻５に接合される。
【００３３】
図３及び図４に示すように、雨よけシート８は、テント設営時には、突っ張り棒部材９によって、下縁部８ａが妻５から離れる方向に突っ張り支持される。突っ張り棒部材９は、雨よけシート８の下縁部８ａの長さ方向中央部と、妻５における通風口７の下方位置と、の間に架設される。突っ張り棒部材９の突っ張り作用により、雨よけシート８の下縁部８ａの弛みが伸ばされて、妻５と雨よけシート８の下縁部８ａとの間に下から見てほぼ三角形の隙間１３ができる（図４参照）。これにより、通風口７の通風機能が担保される。
【００３４】
好ましくは、突っ張り棒部材９の一端部９ａが妻５と雨よけシート８のいずれか一方に固着され、突っ張り棒部材９の他端部９ｂが、妻５と雨よけシート８のいずれか他方に対して着脱自在とされる。例えば、図３の例では、突っ張り棒部材９の一端部９ａが妻５に固着され、突っ張り棒部材９の他端部９ｂが雨よけシート８に対して着脱自在とされている。
【００３５】
突っ張り棒部材９の一端部９ａの妻５への固着の方法としては、例えば縫付けや接着剤による接着等を採用することができる。一方、突っ張り棒部材９の他端部９ｂの雨よけシート８への着脱自在な結合方法としては、例えば、図示しない面ファスナーやフック止め等を採用することができる。具体的には、図３に示すように、プラスチック製又は金属製等の棒部材１４の全体を布又はプラスチックシート等のカバー部材１５で包んだものを突っ張り棒部材９とし、カバー部材１５の一端部９ａと他端部９ｂとを、妻５と雨よけシート８の下縁部８ａに対して前記のような方法で連結する。
【００３６】
テント収納時には、突っ張り棒部材９の他端部９ｂが雨よけシート８から分離され、突っ張り棒部材９の他端部９ｂが自由となり、図３に仮想線で示すように、突っ張り棒部材９が妻５から垂れ下がった状態となる。このため、突っ張り棒部材９がテント収納の邪魔になることが防止できる。突っ張り棒部材９の一端部９ａが妻５に固着されているので、テント収納時に突っ張り棒部材９が紛失してしまうことも防止できる。
【００３７】
図３及び図４に示すように、突っ張り棒部材９と共に、又は突っ張り棒部材９に代えて、雨よけシート８の下縁部８ａを妻５から離れた状態に保持する棒状の弾性部材１６を、雨よけシート８の下縁部８ａに設けることもできる。例えば、プラスチック製又は金属製の棒状の弾性部材１６を、雨よけシート８の下縁部８ａの全長に沿って配設する。このようにすれば、弾性部材１６の長さ方向の中央部が妻５から離れる方向に撓むことで、雨よけシート８の下縁部８ａが妻５から離れた状態に保持されるので、弾性部材１６を突っ張り棒部材９と共に用いることで、雨よけシート８が通風口７を開いた状態に確実に保持される。また、弾性部材１６を突っ張り棒部材９に代えて用いることで、突っ張り棒部材９の配設コストが節約できる。
【００３８】
図２に示すように、通風口７を正視した状態で、雨よけシート８の下縁部８ａが通風口７よりも下に位置しているのが好ましい。これにより、雨よけシート８による雨よけ効果が万全となるからである。
【００３９】
本実施の形態に係るテント１及びテントシート２によれば、テント設営状態において、突っ張り棒部材９によって雨よけシート８の下縁部８ａが妻５から離れる方向に突っ張り支持される。これにより、通風口７は、テント設営状態において常時開いた状態にあり、テントシート２の妻５の内面に当たる風Ｗは、通風口７からテントシート２の外に逃がされる。このため、テントシート２内に吹き込んだ風Ｗによってテント１が破損したりテント１が吹き飛ばされたりすることが防止される。雨よけシート８は、下縁部８ａ以外の縁部８ｂ，８ｂが妻５に接合されているので、雨天時であっても通風口７からテント１内に雨が入り込むことはない。
【００４０】
通風口７は、テント設営状態において常時開いている。天候に応じて通風口７を開閉操作する手間がかからないので、使用しやすく実用的である。
【００４１】
なお、本発明に係るテント１及びテントシート２は、例えば、設営状態を上から見て２間（約３６０ｃｍ）×３間（約５４０ｃｍ）サイズ等の、大型のテント及びテントシートである場合に、より大きな効果を発揮する。
【符号の説明】
【００４２】
１    テント
２    テントシート
５    妻
６    テントフレーム
７    通風口
８    雨よけシート
８ａ  雨よけシートの下縁部
９    突っ張り棒部材
９ａ  突っ張り棒部材の一端部
９ｂ  突っ張り棒部材の他端部
１６  弾性部材
【図１】
2016196753.tif 000003
【図２】
2016196753.tif 000004
【図３】
2016196753.tif 000005
【図４】
2016196753.tif 000006